(57)【要約】【課題】セキュリティの高いウエアラブル電子装置を提供すること【解決手段】ウエアラブル電子装置１は、取外し可能に身体に装着されるように構成され、身体に装着された状態において採る装着位置Ｐａ１，Ｐｂ１と身体から取外される際に採る取外し位置Ｐａ２，Ｐｂ２との間で可動な可動部４０，６０を含む。ウエアラブル電子装置１は、また、暗証データの入力を許容するデータ入力部４と、データ入力部４から入力された暗証データを保持する暗証データ保持部３１と、可動部が装着位置からズレた位置を採ったことを検出する取外し検出器５０，７０と、該取外し検出器５０，７０による検出に応じて、暗証データ保持部３１の暗証データを消去する暗証データ消去部２３とを有する。【選択図】    図１
2004302599.tif 000002
【特許請求の範囲】
【請求項１】
取外し可能に身体に装着されるように構成され、身体に装着された状態において採る装着位置と身体から取外される際に採る取外し位置との間で可動な可動部を含むウエアラブル電子装置であって、
暗証データの入力を許容するデータ入力部と、
該データ入力部から入力された暗証データを保持する暗証データ保持部と、
前記可動部が装着位置からズレた位置を採ったことを検出する取外し検出手段と、
該取外し検出手段による検出に応じて、前記暗証データ保持部の暗証データを消去する暗証データ消去手段と
を有するウエアラブル電子装置。
【請求項２】
前記ウエアラブル電子装置が、データ通信機能を有する通信端末である請求項１に記載のウエアラブル電子装置。
【請求項３】
前記ウエアラブル電子装置が剛性の高い本体筐体部を有し、前記可動部が本体筐体部に対して装着位置と取外し位置との間で可動で且つ剛性の高いバンド部からなる請求項１又は２に記載のウエアラブル電子装置。
【請求項４】
利用者の腕部に装着されるように構成された請求項１から３までのいずれか一つの項に記載のウエアラブル電子装置。
【発明の詳細な説明】
【０００１】
【発明の属する技術分野】
本発明は、ウエアラブル電子装置に係り、より詳しくは、携帯端末として用いられるに適するウエアラブル電子装置に係る。
【０００２】
【従来の技術】
クレジットカードやデビットカード等を用いてショッピングやキャッシングを行う場合、決済時点で本人認証手続が必要になる。
【０００３】
携帯端末装置において、入力された決済用の暗証番号がメモリに予め登録された暗証番号と一致すると決済操作を受付けるようにしておくことは、提案されている（例えば、特許文献１や特許文献２）。
【０００４】
【特許文献１】
特開平１１−２０３３５８号公報（３―５頁、第１図）
【特許文献２】
特開２０００−２７６５３１号公報（４―９頁、第１図）
【０００５】
【発明が解決しようとする課題】
しかしながら、本人認証のために、暗証番号を決済の度毎に入力することは、煩雑であるだけでなく、盗み見される虞れがあるなどセキュリティ上好ましくない。一方、携帯端末装置のメモリに暗証番号を予め記憶させておいて、決済の際にメモリから読出すようにしておく場合、暗号化等を行っておくとしても、携帯端末装置が他人に盗用される虞れを完全にはなくし難く、セキュリティ上問題が残る。
【０００６】
本発明は、前記した点に鑑みなされたものであって、その目的とするところは、セキュリティの高いウエアラブル電子装置を提供することにある。
【０００７】
【課題を解決するための手段】
本発明のウエアラブル電子装置は、前記目的を達成すべく、取外し可能に身体に装着されるように構成され、身体に装着された状態において採る装着位置と身体から取外される際に採る取外し位置との間で可動な可動部を含むウエアラブル電子装置であって、暗証データの入力を許容するデータ入力部と、データ入力部から入力された暗証データを保持する暗証データ保持部と、可動部が装着位置からズレた位置を採ったことを検出する取外し検出手段と、該取外し検出手段による検出に応じて、暗証データ保持部の暗証データを消去する暗証データ消去手段とを有する。
【０００８】
本発明のウエアラブル電子装置では、「暗証データの入力を許容するデータ入力部と、データ入力部から入力された暗証データを保持する暗証データ保持部と」が設けられているので、暗証データが一旦入力されると該暗証データがデータ保持部に保持され得るから、暗証データを繰返し入力しなくてもデータ保持部に保持された暗証データを利用して必要な処理が行われ得る。また、本発明のウエアラブル電子装置では、「取外し可能に身体に装着されるように構成され、身体に装着された状態において採る装着位置と身体から取外される際に採る取外し位置との間で可動な可動部を含む」ので、例えば、外出前に他人のいない室等で、該ウエアラブル電子装置を身体に装着した上で、暗証データを入力しておくようにすることにより、暗証データを他人に盗み見等される虞れが実際上ない。更に、本発明のウエアラブル電子装置では、特に、「可動部が装着位置からズレた位置を採ったことを検出する取外し検出手段と、該取外し検出手段による検出に応じて暗証データ保持部の暗証データを消去する暗証データ消去手段と」が設けられているので、可動部が取外し位置に設定されて身体から取外されるとデータ保持部に格納されていた暗証データが暗証データ消去手段によって消去され得るから、ウエアラブル電子装置が他人に使用されて暗証データが盗用される虞れが実際上ない。すなわち、本発明のウエアラブル電子装置では、電子装置がウエアラブルであるから装着状態にある間は他人によるアクセスを実際上避け得るという特徴を利用して暗証データを繰り返して入力することを避け得るようにすると共に、ウエアラブルなものが取外されるときには暗証データを消去してなくしてしまうことによって、他人による不正なアクセスがあっても暗証データが盗用される虞れをなくしている。
【０００９】
勿論、例えば、ウエアラブル電子装置を身体から取外した状態で例えば携帯型の電話等として使用可能にする等、身体から取外すことが通常の使用の仕方の一部になっていてもよく、その場合、他人に盗み見され難い場所又は姿勢等で必要に応じて暗証データを再入力するようにすればよい。
【００１０】
ここで、取外し検出手段による「装着位置からのズレ検出」は、典型的には、利用者の身体からの取外しを検出するものであるけれども、場合によっては、身体から取外し可能な程度に「装着位置からのズレ」が生じた場合には、利用者が実際に身体から取外すか否かにかかわらず、暗証データの強制的消去を行わしめるもので、これにより、暗証データが他人によって不正使用される虞れを実際上なくし得ることになる。また、利用者は、身体から取外し可能な程度に「装着位置からのズレ」を生じさせた場合には暗証データが消去されることを予め知っていることから、利用者に不測の不利益や不便さを与えることは実際上ない。
【００１１】
暗証データは、典型的には、暗証番号の如き数字や暗証コードの如き文字列からなり、データ入力部は、数字や文字の入力キー若しくはキースイッチの如きキー入力部又は表示画面上に表示される数字や文字を選択する選択手段（例えば、選択若しくは指定力キー若しくはキースイッチ）等からなるけれども、所望ならば、指紋などの読取装置と読取った指紋の二次元パターンを画像としてコード化装置とを組合わせて利用者に独自のコードを生成するようにしておいてもよい（但し、生成されたコードが暗証データとして利用可能な認証システムを本人認証を行う相手方に設けておくような場合）。また、ウエアラブル電子装置が、例えば、クレジットカードなどのカード類等に本人認証のための暗証データが記録されている場合、該カード類等のデータの読取り部を備えていてもよく、その場合、データ読取り部が、そのまま、暗証データのデータ入力部として働くことになる。この場合、カード類等とウエアラブル電子装置との両方を所持して外出することを避けることによって、実際上、他人による暗証データへのアクセスを回避し得る。
【００１２】
暗証データ消去手段による暗証データの消去は、典型的には、暗証データ保持部内の暗証データ格納領域への「０」や「Ｆ」の如きデータの上書きからなるけれども、暗証データの復元を実質的に不可能にし得る限り他のどのような消去でもよい。
【００１３】
ウエアラブル電子装置において、例えば「ＦＦ・・・Ｆ」の如き特定のデータ等を上書きするようにする場合、可動部が装着位置からズレた位置を採ったことを該可動部が取外し位置に達する前に取外し検出手段で検出して暗証データｓ表拒手段で暗証データを消去するようにしておくと共に、暗証データ保持部から該保持部に保持されているデータを読出し、読出されたデータが暗証データの消去を表す該特定のデータ（例えば「ＦＦ・・・Ｆ」）に一致することを確認して、初めて、ウエアラブル電子装置の身体からの取外しを可能にする取外し位置への可動部の最終的な移動を許容するようにしてもよい。
【００１４】
ウエアラブル電子装置は、典型的には、データ通信機能を有する通信端末からなる。その場合、ウエアラブル電子装置が装着されているときは暗証データ保持部に格納された暗証データを利用して認証などを行いつつ決済などの処理をデータ通信により行い得る。但し、ウエアラブル電子装置は、暗証データを利用してデータ処理するものであればどのようなものでもよく、通信端末でなくてもよい。例えば、ウエアラブル電子装置の表面に信号の入出力を可能にする接点を形成しておいて、該接点を決済などの処理を行う相手方の装置の入出力接点に接触させて、データの送受信を行い得るようにするなど、通常は、「通信」と称されないようなデータのやりとりをおこなうようなものでもよい。
【００１５】
可動部が装着位置からのズレた位置を採ったことを検出し得る限り、取外し検出手段は、機械的な検出器でも、光学的な検出器でも、電気的な検出器又は電気機械的な検出器でも、磁気的な検出器でも、電磁的な検出器でも、どのような種類の検出器でもよいけれども、ウエアラブル電子装置は、典型的には、ウエアラブル電子装置が剛性の高い本体筐体部を有し、前記可動部が本体筐体部に対して装着位置と取外し位置との間で可動で且つ剛性の高いバンド部からなり、取外し検出手段は、可動部の位置に関する機械的な、光学的な、電気的な、電気機械的な、磁気的な又は電磁的な検出手段からなる。
【００１６】
なお、バンド部などに可撓性が実質的にある場合には、ウエアラブル電子装置が身体の装着部から取外し可能な程度にバンド部が変形されることを検出しにくい虞れがあることから、バンド部は典型的には、実質的に剛性が高いものであることが好ましいけれども、ウエアラブル電子装置が身体の装着部から取外し可能な程度のバンド部の変形が検出可能である限り、バンド部に可撓性があってもよい。その場合、例えば、バンド部内に歪みゲージの如き撓み変形のセンサや感圧センサなどを組み込んでおいて、所定の程度を超えるバンド部の変形を検出するようにしてもよい。その場合、取外し検出手段は、感圧手段からなる。この明細書において、「剛性」又は「剛性が高い」とは、ウエアラブル電子装置の不測の取外しが生じることがない程度に変形され難いことをいい、比較的大きな外力の下では多少の変形が生じてもよい。
【００１７】
ウエアラブル電子装置は、典型的には、腕部、特に、手首部などに装着される。但し、例えば、首部や頭部や胴部等の如き他の身体部分に装着されるようになっていてもよい。なお、データ入力部は、例えば本体筐体部やバンド部などと一体である代わりに、それらから分離されていて、無線などで本体部などに入力データが伝達されるようになっていてもよい。
【００１８】
【発明の実施の形態】
本発明の好ましい一実施の形態を添付図面に示した好ましい一実施例に基づいて説明する。
【００１９】
【実施例】
図１から図３には、本発明による好ましい一実施例のウエアラブル電子装置としての腕装着型の通信端末装置１が、示されている。
【００２０】
この通信端末装置１は、図２の（ａ）及び（ｂ）に示したような外観を有し、剛性の本体部１０と一対の剛性バンド部４０，６０とを備える。本体部１０の剛性の本体筐体部１１は前面に表示部１２を備える。本体筐体部１１の一端１３には、回動軸１４（図１も参照）を介してＡ１，Ａ２方向に回動可能に、バンド部４０の剛性のバンド筐体部４１が連結され、本体部１０の剛性筐体部１１の他端１５には、回動軸１６（図１も参照）を介してＢ１，Ｂ２方向に回動可能に、バンド部６０の剛性のバンド筐体部６１が連結されている。
【００２１】
通信端末装置１は、剛性バンド部４０，６０が夫々Ａ１，Ｂ１方向に回動された装着位置Ｐａ１，Ｐｂ１を採る図２の（ｂ）の装着状態Ｓ１（図１における実線の状態）では、利用者の腕部Ｗ、より詳しくは、腕部Ｗの手首部Ｗ１を取囲むように、手首部Ｗ１に装着され、この装着状態Ｓ１では、通信端末装置１は、手首部Ｗ１からは外れない。すなわち、通信端末装置１は、剛性バンド部４０，６０が装着位置Ｐａ１，Ｐｂ１を採る装着状態Ｓ１にある限り、利用者の腕部Ｗに取付けられたままに保たれる。一方、通信端末装置１の剛性バンド部４０，６０が夫々Ａ２，Ｂ２方向に回動された取外し位置Ｐａ２，Ｐｂ２を採る図２の（ａ）の取外し状態Ｓ２（図１における想像線の状態）では、通信端末装置１は、利用者の腕部Ｗの手首部Ｗ１から外される。
【００２２】
なお、この例では、剛性バンド部４０，６０のうちのいずれか一方が、装着位置Ｐａ１又はＰｂ１から取外し位置Ｐａ２又はＰｂ２に移動された場合にも、剛性バンド部４０，６０は、利用者の腕部Ｗの手首部Ｗ１から取外され得る。
【００２３】
ただし、剛性バンド部４０，６０のうちのいずれか一方４０又は６０を他方６０又は４０よりも長くしておいて、一方４０又は６０が装着位置Ｐａ１又はＰｂ１から取外し位置Ｐａ２又はＰｂ２に移動された場合には、通信端末装置１が、利用者の腕部Ｗから取外され得るようにすると共に他方６０又は４０が取外し位置Ｐｂ２又はＰａ２に移動されただけではウエアラブル電子装置１が腕部Ｗから取外され得ないようにしておいてもよい。その場合、他方の剛性バンド部６０又は４０を剛性本体部１０に対して実質的に不動にして、剛性本体部１０から延設させておいても、着脱に係らない程度の角度範囲で回動可能にしておいてもよい。更に、図示の例では、二つの剛性バンド部４０，６０が設けられているけれども、剛性バンド部４０又は６０を周方向に長くすると共に該剛性バンド部４０又は６０を一つだけにして、該一つの剛性バンド部４０又は６０が装着位置Ｐａ１又はＰｂ１にある場合には、通信端末装置１を腕部Ｗから取外し不能とし、該一つの剛性バンド部４０又は６０が取外し位置Ｐａ２又はＰｂ２にある場合には、通信端末装置１を腕部Ｗから取外し可能にしておいてもよい。
【００２４】
また、剛性本体部１０に一対の剛性バンド部４０，６０を回動可能に連結する代わりに、剛性本体部１０を省いて、通信端末装置１を相互に相対回動可能な一対の剛性バンド部４０，６０で形成してもよい。その場合、本体部１０に組み込んでいた各種機能部品を一方の剛性バンド部４０若しくは６０又は両方の剛性バンド部４０，６０に組み込めばよい。
【００２５】
本体筐体部１１の端部１３と対応するバンド筐体部４１の対向端部４２との間には、取外し検出手段ないし開閉検出手段として開動作検出器５０が装着されている。開動作検出器５０は、本体筐体部１１の端部１３のうちバンド筐体部４１の端部４２に対向する表面部分１７に配設された検出素子部５１と、バンド筐体部４１の端部４２のうち本体筐体部１１の端部１３の表面部分１７に対向可能な表面部分４３に配設された検出素子部５２からなる。図１では、検出素子部５１及び５２が一組の電気機械的な接点スイッチであるかのごとく示されているけれども、この開動作検出器５０は、バンド筐体部４１が本体筐体部１１に対して装着位置Ｐａ１を採る状態Ｓａ１と、該装着位置Ｐａ１からＡ２方向にずれた状態Ｓａ３（図１に部分的に示したもう一つの想像線の状態）とを区別し得る限り、機械的な検出器でも、光学的な検出器でも、電気的な検出器又は電気機械的な検出器でも、磁気的な検出器でも、電磁的な検出器でも、どのような種類の位置検出器でもよく、場合によっては圧力等の検出器でもよい。なお、ここで、ずれた状態Ｓａ３は、通信端末装置１が利用者の腕部Ｗから取外される可能性が少しでも生じ得る程度にＡ２方向に回動変位された状態であって、状態Ｓａ１と取外し位置Ｐａ２に対応する状態Ｓａ２との間の状態を指す。いずれにしても、開動作検出器５０は、剛性バンド部４０が位置Ｐａ１の状態Ｓａ１から状態Ｓａ３に移ると、開動作検出信号Ｋａを発する。
【００２６】
同様に、本体筐体部１１の端部１５と対応するバンド筐体部６１の対向端部６２との間には、取外し検出手段ないし開閉検出手段として開動作検出器７０が装着されている。開動作検出器７０は、本体筐体部１１の端部１５のうちバンド筐体部６１の端部６２に対向する表面部分１８に配設された検出素子部７１と、バンド筐体部６１の端部６２のうち本体筐体部１１の端部１５の表面部分１８に対向可能な表面部分６３に配設された検出素子部７２からなる。図１では、検出素子部７１及び７２も一組の電気機械的な接点スイッチであるかのごとく示されているけれども、この開動作検出器７０も、バンド筐体部６１が本体筐体部１１に対して装着位置Ｐｂ１を採る状態Ｓｂ１と、該装着位置Ｐｂ１からＢ２方向にずれた状態Ｓｂ３（図１に部分的に示したもう一つの想像線の状態）とを区別し得る限り、機械的な検出器でも、光学的な検出器でも、電気的な検出器又は電気機械的な検出器でも、磁気的な検出器でも、電磁的な検出器でも、どのような種類の位置検出器でもよく、場合によっては圧力等の検出器でもよい。なお、ここで、ずれた状態Ｓｂ３は、通信端末装置１が利用者の腕部Ｗから取外される可能性が少しでも生じ得る程度にＢ２方向に回動変位された状態状態であって、状態Ｓｂ１と取外し位置Ｐｂ２に対応する状態Ｓｂ２との間の状態を指す。いずれにしても、開動作検出器７０は、剛性バンド部６０が位置Ｐｂ１の状態Ｓｂ１から状態Ｓｂ３に移ると、開動作検出信号Ｋｂを発する。より厳密には、状態Ｓａ３，Ｓｂ３は、少なくとも一方がその状態Ｓａ３，Ｓｂ３に達すると、通信端末装置１が腕部Ｗから取外され得る程度に剛性バンド部４０，６０がＡ２，Ｂ２方向に開かれた状態を指す。
【００２７】
剛性バンド部４０には、暗証データ入力手段としてのデータ入力部を構成する押しボタンスイッチ群４が配設されている。図２の（ａ）に示した例では、押しボタンスイッチ群４は、例えばマルチコントローラの形態の十字型の押ボタンスイッチ４ａ及びその中央の押ボタンスイッチ４ｂと、セレクトボタンの形態の四つの押しボタンスイッチ４ｃ，４ｄ，４ｅ，４ｆとからなり、例えば、いずれかの押ボタンスイッチを押圧して表示部１２で順次入力されるべき一つの文字又は一群の文字を表示させ、入力されるべき文字を押ボタンスイッチ４ａで選択した後、いずれかの押ボタンスイッチの押圧により選択された文字を入力し得るように入力制御プログラムとマイクロプロセッサを含む入力制御ハードウエアとに関連付けられて構成されるけれども、その代わりに、テンキーや個別の又は一群の文字入力ボタンなどからなっていてもよい。
【００２８】
本体部１０は、図３に示したように、制御部２０と、記憶部３０と、通信処理部８０とを含み、制御部２０は、全体の処理を制御する処理制御部２１と、書込制御部２２と、消去制御部２３と、通信制御部２４とを含む。また、記憶部３０は暗証データ記憶部３１を含む。暗証データ記憶部３１は、典型的には、フラッシュメモリのような書換可能な不揮発性メモリからなるけれども、所望ならば、揮発性メモリであってもよい。制御部２０は、典型的には、マイクロプロセッサと不揮発性メモリに格納された制御ないし処理プログラムとにより構成され、所望に応じて、専用処理用の論理集積回路により部分的に又は全体的に代替され得る。通信処理部８０は、無線通信などの場合には、アンテナ及び関連信号の送受信処理回路からなる。
【００２９】
書込制御部２２は、暗証データ入力部４から暗証データＤが入力されると、処理制御部２１の制御下で、暗証データＤを記憶部３０の暗証データ記憶部３１に書込む。処理制御部２１は、例えば、開動作検出器５０又は７０から開位置検出信号Ｋａ又はＫｂが出されている場合には、暗証データ入力部４からのデータ入力の有無に係らず、書込制御部２２による暗証データ記憶部３１への暗証データＤの書込を禁止する。図３では、暗証データＤが書込み制御部２２に直接与えられるかのごとく示されているけれども、暗証データＤは、全般的な処理制御部２１に与えられた後、暗証データＤとして、書込制御部２２に与えられてもよい。消去制御部２３は、開動作検出器５０又は７０から開動作検出信号Ｋａ又はＫｂが出されると、制御部２０の処理制御部２１の制御下で、記憶部３０の暗証データ記憶部３１に格納されている暗証データ３１を消去する。この消去は、例えば、暗証データ記憶部３１に「００・・・０」又は「ＦＦ・・・Ｆ」の如きデータを上書きすることにより、行われる。
【００３０】
勿論、例えば、暗証データ記憶部３１が揮発性メモリからなる場合、開動作検出器５０又は７０からの開動作検出信号Ｋａ又はＫｂが暗証データ記憶部３１への所定レベルの電圧の給電を停止させる信号（単純には、暗証データ記憶部３１への給電を断つようなもの）であってもよい。
【００３１】
いずれの場合でも、消去制御部２３は、単に、消去動作を行わせるだけでなく、処理後に暗証データ記憶部３１に格納されているデータを読出して、消去が実際に完了したことを確認して初めて消去処理の完了を処理制御部２１に伝える。
【００３２】
通信制御部２４は、通信処理部８０による通信を制御し、例えば、所定の本人認証手続において、処理制御部２１の制御下で暗証データ記憶部３１に格納された暗証データＤの通信処理部８０による送信を可能にする。
【００３３】
以上の如く構成された腕装着型通信端末装置１では、利用者が通信端末装置１を利用する場合、通常は、通信端末装置１を図２の（ａ）に示したように剛性バンド部４０，６０が夫々の開位置Ｐａ２，Ｐｂ２にある状態Ｓ２で腕部Ｗの手首部Ｗ１に載せ、剛性バンド部４０，６０を、図２の（ｂ）に示したように閉位置Ｐａ１，Ｐｂ１にある状態Ｓ１に、Ａ１，Ｂ１方向に回動変位させることにより、通信端末装置１を腕部Ｗの手首部Ｗ１に装着する。
【００３４】
このように、通信端末装置１を腕部Ｗに装着した状態で、カーソル移動や操作選択や入力等を指示する押ボタンスイッチ群４を操作して、所望のデータ通信等を行う。決済処理に用いられる暗証番号の如き本人認証のための暗証データＤを入力する場合にも、押ボタンスイッチ群すなわちデータ入力部４を操作して暗証番号Ｄを入力する。入力された暗証番号Ｄは、記憶指示操作に応じて、書込制御部２２の制御下で記憶部３０の暗証データ記憶部３１に格納される。決済処理の如き処理において本人認証が求められる場合、暗証番号Ｄは、処理制御部２１及び通信制御部２４の制御下で、暗証データ記憶部３１から通信処理部８０に送られ、通信処理部８０を介して所望の相手方に送信される。
【００３５】
データ入力部４から一旦入力された暗証データＤは、暗証データ記憶部３１に格納されるので、その後の通信処理において同じ暗証データＤを要する場合には、暗証データ記憶部３１に格納された暗証データＤが必要に応じて指示に従って読出されて通信処理部８０から送信・使用される。なお、この例では、暗証データＤが一種類であるかのごとく説明しているけれども、所望ならば、暗証データ記憶部３１に複数の細分化領域を形成しておいたり、処理制御部２１や書込制御部２２で複数のデータを区別して管理するようにしておくことによって、複数種類の暗証データを区別しつつ通信処理部８０で利用可能にしておいてもよい。
【００３６】
一方、利用者が通信端末装置１を腕部Ｗから取外す場合、図２の（ｂ）や図１の実線で示した通信端末装置１の閉状態ないし装着状態Ｓ１すなわち剛性バンド部４０，６０の装着状態Ｓａ１，Ｓｂ１に対応する閉位置ないし装着位置Ｐａ１，Ｐｂ１にある剛性バンド部４０，６０を、夫々、Ａ２，Ｂ２方向に回動変位させて、図２の（ａ）または図１において想像線で示したように開位置Ｐａ２，Ｐｂ２を採る状態Ｓａ２，Ｓｂ２即ち通信端末装置１の開状態Ｓ２に設定する。
【００３７】
このとき、通信端末装置１では、開動作検出器５０，７０が、開動作検出信号Ｋａ，Ｋｂを処理制御部２１に送る。この検出信号Ｋａ，Ｋｂは、開動作検出器５０，７０の両方から出される必要はなく少なくとも一方から出されればよい。すなわち、剛性バンド部４０，６０のうちの少なくとも一方が、限界状態Ｓａ３，Ｓｂ３を超えて開位置側にＡ２又はＢ２方向に回動せしめられると、開動作検出信号Ｋａ又はＫｂが出される。
【００３８】
処理制御部２１は、開動作検出信号Ｋａ，Ｋｂの少なくとも一方Ｋａ又はＫｂを受取ると、消去制御部２３に暗証データ記憶部３１に格納されている暗証データＤを消去させる。
【００３９】
すなわち、剛性バンド部４０，６０のうちの少なくとも一方４０又は６０が限界位置ないし状態Ｓａ３又はＳｂ３を超えて開位置側に回動せしめられると暗証データ記憶部３１に格納されている暗証データＤが強制的に消去せしめられるので、利用者が腕部Ｗに装着していた通信端末装置１を腕部Ｗから取外すだけで通信端末装置１に暗証データＤが残るのを確実に避け得るから、通信端末装置１が他人に利用されても、暗証データ３１が他人に盗用される虞れがない。
【００４０】
通信端末装置１を取外し位置にした状態Ｓ２でも利用者が通信端末装置１を利用可能にするかどうかは、所望に応じて設計すればよいけれども、開状態Ｓ２で利用可能にする場合には、この例では、暗証データＤは暗証データ記憶部３１には記憶させないようにしておくことになる。
【図面の簡単な説明】
【図１】本発明による好ましい一実施例の腕装着型通信端末装置の模式的な断面説明図。
【図２】図１の通信端末装置を斜視図で示したもので、（ａ）は通信端末装置が開状態（腕から取外された状態）にある場合の斜視説明図、（ｂ）は通信端末装置が閉状態（腕に装着された状態）にある場合の斜視説明図。
【図３】図１の通信端末装置について主として暗証データの書込及び消去に係る部分の機能ブロック図。
【符号の説明】
１  腕装着型通信端末装置
４  押しボタンスイッチ群
１０  本体部
１１  本体筐体部
１２  表示部
１３，１５  端部
１４，１６  回動軸
２０  制御部
２２  書込制御部
２３  消去制御部
３０  記憶部
３１  暗証データ記憶部
４０，６０  剛性バンド部
４１，６１  バンド筐体部
５０，７０  開動作検出器
５１，５２，７１，７２  検出素子部
８０  通信処理部
Ａ１，Ａ２，Ｂ１，Ｂ２  回動方向
Ｄ  暗証データ
Ｋａ，Ｋｂ  開動作検出信号
Ｐａ１，Ｐｂ１  閉位置（装着位置）
Ｐａ２，Ｐｂ２  開位置（取外し位置）
Ｓ１  装着状態（閉状態）
Ｓ２  取外し状態（開状態）
Ｓａ１，Ｓｂ１  （バンド部の）閉状態（装着状態）
Ｓａ２，Ｓｂ２  （バンド部の）開状態（取外し状態）
Ｓａ３，Ｓｂ３  （バンド部の）取外し限界状態
【図１】
2004302599.tif 000003
【図２】
2004302599.tif 000004
【図３】
2004302599.tif 000005